(57)【要約】【課題】シリンダに充填、保存してあった薬液中からの気泡や不活性ガスの放出および注射器内への薬液残留の防止を確実に行う。【解決手段】容器兼用注射器１０は、前後端に筒先部材１２およびフィンガーグリップ１３を設けたシリンダ１１内に、その軸方向の前後に間隔をあけて気密、液密に挿入された前、後部ストッパー１４，１５を備え、シリンダ１１内における前、後部ストッパー１４，１５間に薬液Ｍが充填、保管されている。前部ストッパー１４は後端１４ｂが円錐形の凸部１４ｃとして形成され、後部ストッパー１５は前端１５ａが前部ストッパー１４の凸部１４ｃが嵌入される円錐形の凹部１５ｂとして形成されている。前部ストッパー１４の凸部１４ｃの円錐面１４ｄの頂角αは９０°〜１７０°に設定され、後部ストッパー１５の凹部１５ｂの円錐面１５ｅの頂角βは頂角αより僅かに大きく設定されている。【選択図】　　　　図１
2004129723.tif 000002
【特許請求の範囲】
【請求項１】
筒状のシリンダと、該シリンダの先端および後端にそれぞれ設けられた筒先部材およびフィンガーグリップと、前記シリンダ内に、その軸方向の前後に間隔をあけて気密、液密に挿入された複数個のストッパーとを備え、前記シリンダ内における複数のストッパー間の空間に薬液が充填、保管される容器兼用注射器において、
前記ストッパーのうち、前側に配置された前部ストッパーは、その後端が凸部として形成され、前部ストッパーの後方に隣接して配置された後部ストッパーは、その前端が前記前部ストッパーの凸部が嵌入される凹部として形成され、かつ該凹部はストッパーの直径方向の中心から外周側に行くにしたがって前記前部ストッパーの凸部との間隔が徐々に広がる凹面を有していることを特徴とする容器兼用注射器。
【請求項２】
前記前部ストッパーの凸部は円錐形とされ、前記後部ストッパーの凹部における凹面は円錐面とされていることを特徴とする請求項１に記載の容器兼用注射器。
【請求項３】
前記前部ストッパーの凸部における円錐面の頂角が９０°〜１７０°に設定され、前記後部ストッパーの凹部における円錐面の頂角が前部ストッパーの凸部における円錐面の頂角より僅かに大きく設定されていることを特徴とする請求項２に記載の容器兼用注射器。
【発明の詳細な説明】
【０００１】
【発明の属する技術分野】
本発明は、薬液を予め充填、保管しておき使用時に包装から取り出して直ぐに使用することができる容器兼用注射器に関するものである。
【０００２】
【従来の技術】
前記容器兼用注射器は、病医院内において煩雑な操作をすることなく、包装から取り出して直ぐに使用できるので、利便性に優れ、医師や看護婦の作業の軽減に大変に役立ち、このため、多くの病医院で採用されるようになって来ている。
従来の容器兼用注射器は、図３に示すように、容器兼用注射器１の本体となる円筒状のシリンダ２の中に、２個またはそれ以上の個数のゴムまたは軟質のプラスチックスのように弾力性のある材質で製作した円柱状の前、後部ストッパー３，４が、気密、液密にかつシリンダ２の軸方向に摺動可能に挿入されると共に、前記前、後部ストッパー３，４間に薬液Ｍが充填されて安全に保管することができるようになっている。そして、前記シリンダ２の先端には先端側に注射針５を取り付ける筒先６ａを設けたハブ（筒先部材）６が気密、液密に嵌着され、シリンダ２の後端にはフィンガーグリップ７が嵌着されている。前記ハブ６の後端側の内部には、前記前部ストッパー３の外径より若干大きい内径を有し、かつ前部ストッパー３の長さより若干長い軸長を有するバイパスチャンバー６ｂが設けられ、該バイパスチャンバー６ｂの内壁６ｃと底部６ｄに１本または複数本の軸方向の縦溝６ｅと直径方向の横溝６ｆが前記筒先６ａの内孔６ｇに連絡して設けられており、前記シリンダ２の後端から挿入して前記後部ストッパー４に螺合したプランジャロッド８を介して前記後部ストッパー４を押し込むと、前、後部ストッパー３，４間のシリンダ２内に保管されていた薬液Ｍが前方へ移動して、前部ストッパー３が前記バイパスチャンバー６ｂ内に入り込むことによって、密閉が解除されてシリンダ２内の薬液Ｍが前記縦溝６ｅと横溝６ｆを通って前記筒先６ａの内孔６ｇに流れて注射針５に導かれるようになっている。
【０００３】
前記容器兼用注射器１では、前記プランジャーロッド８を押すことにより薬液Ｍを介して前部ストッパー３がシリンダ２内からハブ６のバイパスチャンバー６ｂ内に押し出されて密閉が解除されるまでは、筒先６ａには薬液Ｍが到達しないので、注射針５やそのキャップ９等であっても外部の細菌から重要な部分を守る策が施されているならば、どのような部品でも筒先６ａに取り付けておける利便性があるため、事前に注射針５を取り付けておける容器兼用注射器の構造として最も適したものということができる（例えば、特許文献１，特許文献２、特許文献３）。
【０００４】
【特許文献１】
特公昭６２−５８７４５号公報
【特許文献２】
特公平４−４６１５２号公報
【特許文献３】
特開２００２−１７７３９１号公報
【０００５】
【発明が解決しようとする課題】
しかしながら、前記容器兼用注射器１では、注射をするにあたり、前記前部ストッパー３を前記シリンダ２からハブ６のバイパスチャンバー６ｂ内に押し出して注射の準備を進める際、シリンダ２内に保存してあった薬液Ｍの中に残留していた気泡または窒素などの不活性ガスを先行して外部へ放出する必要があるが、前記前部ストッパー３の後面３ａや後部ストッパー４の前面４ａの薬液Ｍと接する接液部分が、シリンダ２の軸に垂直な平滑面であるために、前部ストッパー３が前記バイパスチャンバー６ｂに入った後、後部ストッパー４が薬液Ｍを押圧することにより、該薬液Ｍが前記バイパスチャンバー６ｂの外周側の縦溝６ｅに押し込まれても、前、後部ストッパー３，４の中心部側にある前記気泡や不活性ガスは容易に外周側に移動して前記縦溝６ｅ内に入り込むことができず、したがって、薬液Ｍ内にある前記気泡や不活性ガスを縦溝６ｅから横溝６ｆ、筒先６ａの内孔６ｇおよび注射針５を通して容易に外部に放出することができない問題があった。また、前記前、後部ストッパー３，４はゴム製であるために、シリンダ２を形成するガラスやプラスチックス等と比べて前記気泡や不活性ガスが周囲面に付着しやすく、この点からも前記気泡や不活性ガスが前記筒先５ａに装着した注射針４から容易に外部へ放出することができない問題があった。これは、注射前の準備に手間取る不便を生じることとなり、容器兼用注射器の利便性を逆に損なう結果となっている。
【０００６】
本発明は、上記事情に鑑みてなされたものであって、容器兼用注射器による注射の準備を進める際、容器兼用注射器のシリンダに保存してあった薬液の中の気泡や不活性ガスを注射針を通して容易に外部へ放出することができると共に、注射終了時に注射器内に薬液が残留するのを防止することができる容器兼用注射器を提供することを目的とする。
【０００７】
【課題を解決するための手段】
本発明は、前記課題を解決するために、以下の点を特徴としている。
すなわち、請求項１に係る容器兼用注射器は、筒状のシリンダと、該シリンダの先端および後端にそれぞれ設けられた筒先部材およびフィンガーグリップと、前記シリンダ内に、その軸方向の前後に間隔をあけて気密、液密に挿入された複数個のストッパーとを備え、前記シリンダ内における複数のストッパー間の空間に薬液が充填、保管される容器兼用注射器において、前記ストッパーのうち、前側に配置された前部ストッパーは、その後端が凸部として形成され、前部ストッパーの後方に隣接して配置された後部ストッパーは、その前端が前記前部ストッパーの凸部が嵌入される凹部として形成され、かつ該凹部はストッパーの直径方向の中心から外周側に行くにしたがって前記前部ストッパーの凸部との間隔が徐々に広がる凹面を有していることを特徴とする。
【０００８】
前記容器兼用注射器においては、注射の事前準備時に、シリンダの筒先を上に向け、後部ストッパーを前方へ押すと、シリンダ内に充填、保管されていた薬液中の気泡や不活性ガスが薬液の上部に移動し、前部ストッパーの凸部の傾斜している斜面に沿ってシリンダの内周面側に移動を仕向けられ、かつ該内周面に沿って浮上され、筒先部材の薬液通路を経て薬液が注出される前に容易に外部へ放出される。また、注射時の終了時に、前部ストッパーの凸部と後部ストッパーの凹部とが、それらの中心側から外周側へ向けて徐々に接触して行くことにより、前、後部ストッパー間にある薬液は、シリンダの内周面に押し出されて前記筒先部材内に導入され、これにより、容器兼用注射器内に残留することなく、筒先部材の薬液通路を経て外部へ押し出される。
【０００９】
請求項２に係る容器兼用注射器は、請求項１に記載の容器兼用注射器において、前記前部ストッパーの凸部は円錐形とされ、前記後部ストッパーの凹部における凹面は円錐面とされていることを特徴とする。
【００１０】
請求項３に係る容器兼用注射器は、請求項２に記載の容器兼用注射器において、前記前部ストッパーの凸部における円錐面の頂角が９０°〜１７０°に設定され、前記後部ストッパーの凹部における円錐面の頂角が前部ストッパーの凸部における円錐面の頂角より僅かに大きく設定されていることを特徴とする。
【００１１】
【発明の実施の形態】
以下、本発明の一実施の形態に係る容器兼用注射器について図１、図２を参照して説明する。
図１において、１０は本発明の一実施の形態に係る容器兼用注射器である。該容器兼用注射器１０は、ガラスまたはプラスチックス製の円筒状（筒状）のシリンダ１１と、該シリンダ１１の先端に嵌着して設けられたハブ（筒先部材）１２と、シリンダ１１の後端に設けられたフィンガーグリップ１３と、前記シリンダ１１の前後端の内部に気密、液密に、かつ軸方向に摺動可能に挿入された前部ストッパー１４および後部ストッパー１５と、前記シリンダ１１の後端側からシリンダ１１内に先端側を挿入されて後部ストッパー１５に連結されたプランジャロッド１６とを備えている。
そして、前記シリンダ１１内にその軸方向に間隔をあけて配置された前記前部ストッパー１４と後部ストッパー１５との間の空間に薬液Ｍが充填、保管されるようになっている。
【００１２】
前記ハブ１２は、円筒状部１２ａの先端側に注射針取付部１２ｂを設け、後端側に大径の装着部１２ｃを設けてなり、前記装着部１２ｃが前記シリンダ１１の先端外周部に嵌着されている。前記注射針取付部１２ｂは、前記円筒状部１２ａの先端の中心部に設けられ、ルアー・ロック方式による注射針１７の装着部（針もと）１７ａを嵌合させるテーパ筒部（筒先）１８と、円筒状部１２ａの先端の外周側に設けられ、前記注射針１７の装着部１７ａの外周フランジ１７ｂを螺合させるネジ１９ａを内周側に形成したルアー・ロック部１９とを備えている。前記円筒状部１２ａの内部に設けた円筒状のパイパスチャンバー１２ｄは、その直径が前記前部ストッパー１４の直径より若干大きく形成され、内壁１２ｅにシリンダ１１の軸方向に沿う縦溝（薬液通路）２０が周方向に間隔をあけて１個または複数個設けられ、底部１２ｆに縦溝２０を前記テーパ筒部１８の内孔１８ａに連絡させる横溝（薬液通路）２１が設けられている。
【００１３】
前記フィンガーグリップ１３は、円筒状部１３ａの後端部に円筒状部１３ａの直径方向に延びるフランジ１３ｂを一体に形成してなり、前記円筒状部１３ａが前記シリンダ１１の後端の外周部に嵌着されており、前記円筒状部１３ａの内側には、内径が前記後部ストッパー１５の外径より小径で、前記プランジャロッド１６の外径より大径に形成された環状の突条１３ｃが設けられており、前記後部ストッパー１５がシリンダ１１の後端より離脱しないようになっている。
【００１４】
前記前部ストッパー１４は、直径を前記シリンダ１１の内径より僅かに大きくされたゴム製または軟質プラスチックス製等の円筒状部材からなり、外周に周方向に沿う溝が１個または複数設けられると共に、前端１４ａがシリンダ１１の軸方向に略垂直な平面に形成され、後端１４ｂがシリンダ１１に中心に頂点Ｃ１を有する円錐形の凸部１４ｃとして形成されている。また、前部ストッパー１４の後方に隣接して配置された後部ストッパー１５は、前部ストッパー１４と同様に、直径を前記シリンダ１１の内径より僅かに大きくされたゴム製または軟質プラスチックス製等の円筒状部材からなり、外周に周方向に沿う溝が１個または複数設けられると共に、その前端１５ａが、前記前部ストッパ１４ーの凸部１４ｃが嵌入される円錐形の凹部１５ｂとして形成され、後端１５ｃがシリンダ１１の軸方向に略垂直な平面に形成され、後端部に形成されたねじ穴１５ｄに前記プランジャーロッド１６の雄ねじ１６ａが螺合されて前部ストッパー１５とプランジャーロッド１６とが連結されている。
【００１５】
前記前部ストッパー１４における凸部１４ｃの円錐面１４ｄの頂角αは、前記シリンダ１１の内径（前、後部ストッパー１４，１５の外径）によって異なるが、９０°〜１７０°の範囲に設定され、前記後部ストッパー１５における凹部１５ｂの円錐面（凹面）１５ｅの頂角βは、前記頂角αの頂角より僅かに大きく、例えば、２°〜１５°程度大きくに設定されている。一般的には、シリンダ１１の内径が小さい場合には前記頂角αを小さくし、シリンダ１１の内径が大きい場合には頂角αを比較的大きくすることができる。
なお、図１中、２２は前記注射針１７の装着部１７ａに嵌着して使用し、注射針１７を保護する円筒状の注射針カバーである。
【００１６】
前記実施の形態に係る容器兼用注射器１０を使用して注射をする際には、その事前準備として、使用者は、容器兼用注射器１０を注射針１７側を上に向けた状態とし、手指でフィンガーグリップ１３を支えながらプランジャーロッド１６を操作して後部ストッパー１５を、前部ストッパー１４の略長さ分だけ押し込む。これにより、前、後部ストッパー１４，１５間の薬液Ｍがシリンダ１１内の前側へ進められ、これに伴って前記前部ストッパー１４が前進して前記ハブ１２のバイパスチャンバー１２ｄ内に押し込まれる。このとき、前部ストッパー１４による密閉が解除されるので、シリンダ１１内に充填、保管されていた薬液Ｍ内の気泡は、注射針１７側を上に向けた状態であるため、薬液Ｍの上部に浮上集合させられており、前部ストッパー１４が円錐形の凸部１４ｃとされているので、円錐面１４ｄ，１５ｅの外側前方に傾斜している斜面に沿ってシリンダ１１の内周面側に移動を仕向けられ、かつ該内壁面に沿って浮上され、前記のように薬液Ｍが通る前に薬液通路を経て容易に注射針１７の先端から外部へ放出される。次に、注射針１７から注射針カバー２２を外すと、薬液Ｍが、前部ストッパー１４の外周部を迂回してバイパスチャンバー１２ｄの内壁１２ｅの縦溝２０を通り、底部１２ｆの横溝２１から注射針取付部１８の内孔１８ａを経て注射針１７から薬液部内に残る微量の気泡と共に少し押し出される。
【００１７】
前記事前準備が終わった後に、人体の所要部位に注射針１７を穿刺して前記プランジャーロッド１６を更に押し込んで注射を行う。注射の終了間際に至ると、前記ハブ１２のバイパスチャンバー１２ｄ内にある前部ストッパー１４に後部ストッパー１５が接近して前部ストッパー１４の凸部１４ｃが後部ストッパー１５の凹部１５ｂ内に嵌入し、遂に、図２に示すように、前部ストッパー１４の凸部１４ｃの頂部が後部ストッパー１５の凹部１５ｂの最奥部に接触する。このとき、前記凹部１５ｂの円錐面１５ｅの頂角βが凸部１４ｃの円錐面１４ｄの頂角αより大きくなっているので、前記凹部１５ｂが後部ストッパー１５の直径方向の中心から外周側に行くにしたがって前記前部ストッパー１４の凸部１４ｃとの間隔が徐々に広がる凹面を有することとなり、前記凸部１４ｃと凹部１５ｂとの間に前記シリンダ１１の中心の周りに外側が開放された三角形状の断面を有する環状空間Ｅが形成された状態となる。
【００１８】
この状態から、更にプランジャーロッド１６を介して後部ストッパー１５を強く押すと、後部ストッパー１５が弾性変形して最奥部から外周側へ向けて徐々に前部ストッパー１４の円錐面１４ｄに接触して行き、前部ストッパー１４の凸部１４ｃと後部ストッパー１５の凹部１５ｂとの間にある薬液が前、後部ストッパー１４，１５の外周側に押し出される。この押し出された薬液は前記ハブ１２のバイパスチャンバー１２ｄの縦溝２０、横溝２１に導きかれ、ハブ１２のテーパ筒１８の内孔１８ａを経て注射針１７から注射部位に注入される。これにより、容器兼用注射器１０内に薬液Ｍを残すことなく注射をすることができる。
【００１９】
このように、前記実施の形態に係る容器兼用注射器１０によれば、前記シリンダ１１内に、その軸方向の前後に間隔をあけて気密、液密に、かつ軸方向に摺動可能に挿入され、シリンダ１１内に充填、保管される薬液Ｍを密封する前、後部ストッパー１４，１５において、前部ストッパー１４は、その後端１４ｂが頂角αを９０°〜１７０°に設定した円錐形の凸部１４ｃとして形成され、前部ストッパー１４の後方に隣接して配置された後部ストッパー１５は、その前端１５ａが前記前部ストッパー１４の凸部１４ｃが嵌入される、頂角βを前記頂角αより僅かに大きくした円錐面１５ｅに設定した凹部１５ｂとして形成されているので、注射の事前準備時にはシリンダ１１内に充填、保管されていた薬液Ｍの中の気泡や不活性ガスを効果的に注射針１７から外部へ放出することができ、また、注射時には容器兼用注射器１０内に薬液Ｍを残すことなく確実に容器兼用注射器１０から押し出して注射の用に無駄なく供することができる。しかも、前記前、後部ストッパー１４，１５は、それらの後端１４ｂと前端１５ａにそれぞれ円錐形の凸部１４ｃと凹部１５ｂを形成するものであるので、構造も比較的簡単であり、容易に製造することができる。
【００２０】
前記前、後部ストッパー１４，１５の凸部１４ｃ、凹部１５ｂの円錐面１４ｄ，１５ｅの頂角α、βは、前記数値の範囲に設定するのが好まく、前記設定数値の範囲より大きくすると、前記凸部１４ｃと凹部１５ｂの円錐面１４ｄ，１５ｅが前記シリンダ１１の軸方向に垂直な平面に近づくため、前記薬液Ｍ中の気泡や不活性ガスの外部への放出効果と、容器兼用注射器１０内への薬液残留の防止効果とを期待することができず、また、前記設定数値の範囲より小さくすると、前記凸部１４ｃの長さと凹部１５ｂの深さが大きくなり、必然的に前、後部ストッパー１４，１５の軸方向の長さが大きくなるので、容器兼用注射器１０の大きくなるか、容器兼用注射器１０を大きくしなければ、シリンダ１１内に充填、保管する薬液Ｍの容量が少なくなる。
【００２１】
なお、前記実施の形態に係る容器兼用注射器１０においては、前記前、後部ストッパー１４，１５の凸部１４ｃ、凹部１５ｂをそれぞれ円錐面１４ｄ，１５ｅに形成したが、本発明はこれに限らず、球面、楕円面等の曲面に形成することもできる。この場合も、前部ストッパー１４の凸部の凸面の曲率半径に対して後部ストッパー１５の凹部の凹面の曲率半径を所定量だけ大きくし、後部ストッパー１５の凹部がその直径方向の中心から外周側に行くにしたがって前部ストッパー１４の凸部との間隔が徐々に広がる凹面を有するようにすることは勿論である。また、前記実施の形態に係る容器兼用注射器１０は、本発明をシリンダ１１の前後端にルアー・ロック形式のハブ１２とフィンガーグリップ１３をそれぞれ嵌着した形式の容器兼用注射器に適用した例であるが、本発明はこれに限らず、前記シリンダ１１とフィンガーグリップ１３を一体に形成したものにも適用でき、さらに、前記ハブ１２は、ルアー・ロック形式のものに限らず、図３に示した従来の容器兼用注射器１のハブ６と同様な形式、その他の形式のものであってもよい。
【００２２】
【発明の効果】
以上説明したように、本発明によれば以下の優れた効果を奏する。
請求項１に係る容器兼用注射器によれば、シリンダ内にその軸方向の前後に間隔をあけて気密、液密に挿入され、シリンダ内に充填、保管される薬液を密封する複数のストッパーにおいて、前部ストッパーは、その後端が凸部として形成され、前部ストッパーの後方に隣接して配置された後部ストッパーは、その前端が前記前部ストッパーの凸部が嵌入される凹部として形成され、かつ該凹部はストッパーの直径方向の中心から外周側に行くにしたがって前記前部ストッパーの凸部との間隔が徐々に広がる凹面を有している構成とされているので、注射の事前準備時にはシリンダ内に充填、保管されていた薬液の中の気泡や不活性ガスを効果的に注射針から外部へ放出することができ、また、注射時には容器兼用注射器内に薬液を残すことなく確実に容器兼用注射器から押し出して無駄なく注射の用に供することができる。
【００２３】
請求項２に係る容器兼用注射器によれば、前部ストッパーの凸部が円錐形とされ、後部ストッパーの凹部における凹面が円錐面とされているので、前記請求項１に係る容器兼用注射器による効果を奏することができる上に、構造も比較的簡単であり、容易に製造することができる。
【００２４】
請求項３に係る容器兼用注射器によれば、前部ストッパーの凸部における円錐面の頂角が９０°〜１７０°に設定され、後部ストッパーの凹部における円錐面の頂角が前部ストッパーの凸部における円錐面の頂角より僅かに大きく設定されているので、前記請求項１に係る容器兼用注射器によるシリンダ内薬液中の気泡や不活性ガスの外部への放出効果と、容器兼用注射器内への薬液残留の防止効果を一層効果的に行わせることができる。
【図面の簡単な説明】
【図１】本発明に一実施の形態に係る容器兼用注射器を示す縦断面図である。
【図２】本発明に一実施の形態に係る容器兼用注射器による注射終了時における前、後部ストッパーの動作位置を示す縦断面図である。
【図３】従来の容器兼用注射器の一例を示す縦断面図である。
【符号の説明】
１，１０　容器兼用注射器
２，１１　シリンダ
３，１４　前部ストッパー
３ａ，１４ｂ　後端
４，１５　後部ストッパー
４ａ，１５ａ　前端
５，１７　注射針
６，１２　ハブ
６ａ，１２ｄ　バイパスチャンバー
６ｅ，２０　縦溝（薬液通路）
６ｆ，２１　横溝（薬液通路）
７，１３　フィンガーグリップ
８，１６　プランジャーロッド
１４ｃ　凸部
１４ｄ　円錐面
１５ｂ　凹部
１５ｅ　円錐面（凹面）
Ｃ１，Ｃ２　頂点
Ｅ　環状間隙
Ｍ　薬液
α、β　頂角
【図１】
2004129723.tif 000003
【図２】
2004129723.tif 000004
【図３】
2004129723.tif 000005